(57)【要約】【課題】本考案は、本を包装したり紐で結わいたりしなくても本を自由に開くことを防いで立ち読みを防止できる読み防止機能付本を提供する。【解決手段】立ち読み防止機能付本１０の裏表紙１２には第１折線１７を介してカバー片１８が連続形成されている。このカバー片１８にはミシン目２０が形成され、ミシン目２０を境にして第１カバー片部１８Ａと第２カバー片部１８Ｂに区画されている。また、第１カバー片部１８Ａの裏面には接着部２２が形成されている。表表紙１２と裏表紙１４との間には第１折丁２４、貼付紙３２、第２折丁２６、第３折丁２８、第４折丁３０が並んで配設されている。この貼付紙３２の一面３２Ａには第１カバー片１８Ａが第２折線３３で折り曲げられることにより対応し、接着部２２を介して接着されるようになっている。【選択図】　　図１
0003096923.tif 000002
【実用新案登録請求の範囲】
【請求項１】
表表紙と裏表紙本との間に配設される複数の折丁と、これら折丁の間に配設されて折丁と共に綴じられる貼付シート体と、前記表表紙又は裏表紙の一側部に第１折線を介して連続形成されると共に第１折線及び第２折線で折り曲げることにより前記表表紙又は裏表紙と貼付シート体の間に位置する折丁の側面を覆うカバー片と、このカバー片の裏面又は貼付シート体の一面に設けられると共に前記カバー片が表表紙又は裏表紙と貼付シート体の間に位置する折丁の側面を覆った状態で前記貼付シート体と接着する接着部と、を有してなることを特徴とする立ち読み防止機能付本。
【請求項２】
表表紙と裏表紙本との間に配設される複数の折丁と、これら折丁の間に配設されて折丁と共に綴じられる貼付シート体と、前記表表紙又は裏表紙の一側部に第１折線を介して連続形成されると共に第１折線及び第２折線で折り曲げることにより前記表表紙又は裏表紙と貼付シート体の間に位置する折丁の側面を覆うカバー片と、このカバー片に上下方向に向かって形成される破断線と、前記カバー片の裏面又は貼付シート体の一面に設けられると共に前記カバー片が表表紙又は裏表紙と貼付シート体の間に位置する折丁の側面を覆った状態で前記貼付シート体と接着する接着部と、を有してなることを特徴とする立ち読み防止機能付本。
【請求項３】
表表紙と裏表紙本との間に配設される複数の折丁と、これら折丁の間に配設されて折丁と共に綴じられる貼付シート体と、前記表表紙又は裏表紙の一側部に第１折線を介して連続形成されると共に第１折線及び第２折線で折り曲げることにより前記表表紙又は裏表紙と貼付シート体の間に位置する折丁の側面を覆うカバー片と、このカバー片に上下方向に向かって形成されると共にカバー片を第１カバー片部と第２カバー片部に区画する破断線と、前記第１カバー片部の裏面又は貼付シート体の一面に設けられると共に前記カバー片が表表紙又は裏表紙と貼付シート体の間に位置する折丁の側面を覆った状態で前記貼付シート体と接着する接着部と、を有してなることを特徴とする立ち読み防止機能付本。
【請求項４】
表表紙と裏表紙本との間に配設される複数の折丁と、これら折丁の中から選択された被接着折丁と、前記表表紙又は裏表紙の一側部に第１折線を介して連続形成されると共に第１折線及び第２折線で折り曲げることにより前記表表紙又は裏表紙と被接着折丁の間に位置する折丁の側面を覆うカバー片と、このカバー片の裏面又は被接着折丁の一面に設けられると共に前記カバー片が表表紙又は裏表紙と非接着折丁の間に位置する折丁の側面を覆った状態で前記被折丁と接着する接着部と、を有してなることを特徴とする立ち読み防止機能付本。
【請求項５】
表表紙と裏表紙本との間に配設される複数の折丁と、これら折丁の中から選択された被接着折丁と、前記表表紙又は裏表紙の一側部に第１折線を介して連続形成されると共に第１折線及び第２折線で折り曲げることにより前記表表紙又は裏表紙と被接着折丁の間に位置する折丁の側面を覆うカバー片と、このカバー片に上下方向に向かって形成される破断線と、前記カバー片の裏面又は被接着折丁の一面に設けられると共に前記カバー片が表表紙又は裏表紙と被接着折丁の間に位置する折丁の側面を覆った状態で前記被接着折丁と接着する接着部と、を有してなることを特徴とする立ち読み防止機能付本。
【請求項６】
表表紙と裏表紙本との間に配設される複数の折丁と、これら折丁の中から選択された被接着折丁と、前記表表紙又は裏表紙の一側部に第１折線を介して連続形成されると共に第１折線及び第２折線で折り曲げることにより前記表表紙又は裏表紙と被接着折丁の間に位置する折丁の側面を覆うカバー片と、このカバー片に上下方向に向かって形成されると共にカバー片を第１カバー片部と第２カバー片部に区画する破断線と、前記第１カバー片部の裏面又は被接着折丁の一面に設けられると共に前記カバー片が表表紙又は裏表紙と被接着折丁の間に位置する折丁の側面を覆った状態で前記被接着折丁と接着する接着部と、を有してなることを特徴とする立ち読み防止機能付本。
【考案の詳細な説明】
【０００１】
【考案の属する技術分野】
本考案は、本に関し、詳しくは立ち読み等を防止することができる立ち読み防止機能付本に関する。
【０００２】
【従来の技術】
書店の店頭に置かれる本の立ち読みを防ぐために本をビニールシートで包装したり、本を紐で結わいたりして本を開けなくなるようにして立ち読みを防止している。
しかし、ビニールシートで本を包装したり、本を紐で結わくには製本された本をあらためて包装機にかけてビニールシートで本を包装したり紐で結わいたりするため製造工程が増加して煩雑になると共に本のコストアップの原因になっている。
【０００３】
【考案が解決しようとする課題】
本考案は、上記事実に鑑みなされたものであり包装機で本を包装したり紐で結わいたりしなくても本を自由に開くことを防いで立ち読みを防止できる読み防止機能付本を提供するものである。
【０００４】
【課題を解決するための手段】
請求項１の考案は、表表紙と裏表紙本との間に配設される複数の折丁と、これら折丁の間に配設されて折丁と共に綴じられる貼付シート体と、前記表表紙又は裏表紙の一側部に第１折線を介して連続形成されると共に第１折線及び第２折線で折り曲げることにより前記表表紙又は裏表紙と貼付シート体の間に位置する折丁の側面を覆うカバー片と、このカバー片の裏面又は貼付シート体の一面に設けられると共に前記カバー片が表表紙又は裏表紙と貼付シート体の間に位置する折丁の側面を覆った状態で前記貼付シート体と接着する接着部と、を有してなることを特徴としている。
請求項２の考案は、表表紙と裏表紙本との間に配設される複数の折丁と、これら折丁の間に配設されて折丁と共に綴じられる貼付シート体と、前記表表紙又は裏表紙の一側部に第１折線を介して連続形成されると共に第１折線及び第２折線で折り曲げることにより前記表表紙又は裏表紙と貼付シート体の間に位置する折丁の側面を覆うカバー片と、このカバー片に上下方向に向かって形成される破断線と、前記カバー片の裏面又は貼付シート体の一面に設けられると共に前記カバー片が表表紙又は裏表紙と貼付シート体の間に位置する折丁の側面を覆った状態で前記貼付シート体と接着する接着部と、を有してなることを特徴としている。
請求項３の考案は、表表紙と裏表紙本との間に配設される複数の折丁と、これら折丁の間に配設されて折丁と共に綴じられる貼付シート体と、前記表表紙又は裏表紙の一側部に第１折線を介して連続形成されると共に第１折線及び第２折線で折り曲げることにより前記表表紙又は裏表紙と貼付シート体の間に位置する折丁の側面を覆うカバー片と、このカバー片に上下方向に向かって形成されると共にカバー片を第１カバー片部と第２カバー片部に区画する破断線と、前記第１カバー片部の裏面又は貼付シート体の一面に設けられると共に前記カバー片が表表紙又は裏表紙と貼付シート体の間に位置する折丁の側面を覆った状態で前記貼付シート体と接着する接着部と、を有してなることを特徴としている。
請求項４の考案は、表表紙と裏表紙本との間に配設される複数の折丁と、これら折丁の中から選択された被接着折丁と、前記表表紙又は裏表紙の一側部に第１折線を介して連続形成されると共に第１折線及び第２折線で折り曲げることにより前記表表紙又は裏表紙と被接着折丁の間に位置する折丁の側面を覆うカバー片と、このカバー片の裏面又は被接着折丁の一面に設けられると共に前記カバー片が表表紙又は裏表紙と非接着折丁の間に位置する折丁の側面を覆った状態で前記被折丁と接着する接着部と、を有してなることを特徴としている。
請求項５の考案は、表表紙と裏表紙本との間に配設される複数の折丁と、これら折丁の中から選択された被接着折丁と、前記表表紙又は裏表紙の一側部に第１折線を介して連続形成されると共に第１折線及び第２折線で折り曲げることにより前記表表紙又は裏表紙と被接着折丁の間に位置する折丁の側面を覆うカバー片と、このカバー片に上下方向に向かって形成される破断線と、前記カバー片の裏面又は被接着折丁の一面に設けられると共に前記カバー片が表表紙又は裏表紙と被接着折丁の間に位置する折丁の側面を覆った状態で前記被接着折丁と接着する接着部と、を有してなることを特徴としている。
請求項６の考案は、表表紙と裏表紙本との間に配設される複数の折丁と、これら折丁の中から選択された被接着折丁と、前記表表紙又は裏表紙の一側部に第１折線を介して連続形成されると共に第１折線及び第２折線で折り曲げることにより前記表表紙又は裏表紙と被接着折丁の間に位置する折丁の側面を覆うカバー片と、このカバー片に上下方向に向かって形成されると共にカバー片を第１カバー片部と第２カバー片部に区画する破断線と、前記第１カバー片部の裏面又は被接着折丁の一面に設けられると共に前記カバー片が表表紙又は裏表紙と被接着折丁の間に位置する折丁の側面を覆った状態で前記被接着折丁と接着する接着部と、を有してなることを特徴としている。
【０００５】
【考案の実施の形態】
図１〜図３には本考案に係る立ち読み防止機能付本の第１実施例が示されている。
図１に示されるように、立ち読み防止機能付本１０の表表紙１２と裏表紙１４は背表紙１６を挟んで連続形成されている。この裏表紙１２には第１折線１７を介してカバー片１８が連続形成されている。
これら表表紙１２、裏表紙１４、背表紙１６、カバー片１８はブックカバーを兼ねている。
また、前記カバー片１８には立ち読み防止機能付本１０の上下方向に向かって破断線としてのミシン目２０が形成されている。前記カバー片１８はミシン目２０を境にして第１カバー片部１８Ａと第２カバー片部１８Ｂに区画されている。また、この第１カバー片部１８Ａの裏面には接着剤が塗布された接着部２２が形成されている。
前記表表紙１２と裏表紙１４との間には第１折丁２４、第２折丁２６、第３折丁２８、第４折丁３０が並んだ状態で配設されている。この実施例では前記第１折丁２４、第２折丁２６、第３折丁２８、第４折丁３０はそれぞれ３２頁が一緒に折られて形成されている。従って、第１折丁２４には１頁から３２頁が形成され、第２折丁２６には３３頁から６４頁が形成され、第３折丁２８には６５頁から９６頁が形成され、第４折丁３０には９７頁から１２８頁が形成されている。また、前記第１折丁２４と第２折丁２６間には前記第１折丁２４、第２折丁２６、第３折丁２８、第４折丁３０と一緒に綴じられる貼付シート体としての厚紙で形成された貼付紙３２が１枚配設されている。
図２に示されるように、この貼付紙３２の一面３２Ａには前記カバー片１８の第１カバー片１８Ａが第２折線３３で折り曲げられることにより対応し、接着部２２を介して接着されるようになっている。
従って、第１折線１７及び第２折線３３でカバー片１８を折り曲げると裏表紙１４と貼付紙３２の間に綴じられた第２折丁２６の側面２６Ａ、第３折丁２８の側面２８Ａ、第４折丁３０の側面３０Ａは前記カバー片１８によって覆われるようになっている。
この結果、裏表紙１４と貼付紙３２の間に位置している第２折丁２６、第３折丁２８、第４折丁３０の頁を開きたくても前記第２折丁２６、第３折丁２８、第４折丁３０はカバー片１８によって覆われているので、ミシン目２０を破らないと第２折丁２６、第３折丁２８、第４折丁３０の頁を開くことはできないのでミシン目２０を破るという心理的効果により間接的に立ち読みを防止することができる。
【０００６】
次に、第１実施例の立ち読み防止機能付本１０の作用を説明する。
図３に示されるように、前記立ち読み防止機能付本１０は前記第２折丁２６、第３折丁２８、第４折丁３０は貼付片１８によって覆われた状態で店頭に置かれる。
従って、前記ミシン目２０を切って第１カバー片部１８Ａと第２カバー片部１８Ｂを分離させないと第２折丁２６、第３折丁２８、第４折丁３０の頁を読むことはできないので立ち読みを防止することができる。
また、前記ミシン目２０を切って第１カバー片部１８Ａと第２カバー片部１８Ｂを分離させると第２折丁２６、第３折丁２８、第４折丁３０の頁を開いて読むことができるが、ミシン目２０を切るという心理的効果により間接的に立ち読みを防止することができる
なお、立ち読み防止機能付本１０を購入した場合はミシン目２０を切れば第２折丁２６、第３折丁２８、第４折丁３０の頁を開くことはできるので通常通り本を読むことができる。
この結果、従来のように製本された本をあらためて包装機にかけてビニールシートで包装したり、紐で本を結わいたりする必要がないので本の製造工程を少なくしてコストを抑えることができる。
また、一般に本は書店で売れ残って返品されると日焼けした本の上面、下面、側面を磨いてきれいにして再度販売する場合があるが、立ち読み防止機能付本１０の大部分を占める第２折丁２６の側面２６Ａ、第３折丁２８の側面２８Ａ、第４折丁３０の側面３０Ａは前記カバー片１８に覆われて店頭に置かれるので第２折丁２６の側面２６Ａ、第３折丁２８の側面２８Ａ、第４折丁３０の側面３０Ａが日焼けするおそれがないので、返品された場合に立ち読み防止機能付本１０の側面を磨く必要がなく、上面と下面だけを磨けばよいので大幅に磨き作業の手間を省くことができる。
さらに、立ち読み防止機能付本１０は立ち読みを防止するためにビニールシートや紐を必要としないので、ビニールシートや紐の廃棄物の発生を未然に防ぐことができる。
なお、本考案の立ち読み防止機能付本１０を読むためにはカバー片１８のミシン目２０を破断する必要がある。このため、前記ミシン目２０が破断されていない立ち読み防止機能付本１０は未読の本であるため、新古本買取店や古本店等に買い取り目的で持ち込まれたミシン目２０が破断されていない立ち読み防止機能付本１０は転売目的で持ち込まれた本である可能性が高いので買取側の新古本買取店や古本店等にその事実を間接的に知らせることにより転売を阻止すると共に、その結果、社会問題化している書店等で万引きした本を新古本買取店や古本店等に転売して換金することを防止することができる。
【０００７】
図４には立ち読み防止機能付本の第２実施例が示されている。なお、第１実施例の立ち読み防止機能付本１０と同一の構成は同一の符合を付してその説明を省略する。
図４に示されるように、第２実施例の立ち読み防止機能付本４０は前記貼付シート体としての貼付紙３２が設けられていない点が前記第１実施例の立ち読み防止機能付本１０と相違する。
従って、立ち読み防止機能付本４０においては、前記カバー片１８は前記第１折丁２４、第２折丁２６、第３折丁２８、第４折丁３０の折丁の中から選択された被接着折丁としての第２折丁２６の一面２６Ｂに接着されるようになっている。なお、第２実施例では前記カバー片１８を接着する被接着折丁として第２折丁２６を選択したが、他の折丁を選択してもよい。
このため、第２実施例の立ち読み防止機能付本４０は前記貼付紙３２を綴じる工程を省くことができる。
なお、他の構成、作用、効果は第１実施例の立ち読み防止機能付本１０と同じであるのでその説明は省略する。
【０００８】
なお、実施例ではカバー片１８の裏面には接着剤を塗布して接着部２２を形成したが、第１実施例では貼付紙３２の一面３２Ａに、第２実施例では第２折丁２６の一面２６Ｂに接着部２２を形成してもよいことは勿論である。
また、実施例ではカバー片１８を裏表紙１４に連続形成したが、カバー片１８を表表紙１２に連続形成するようにしてもよいことは勿論である。
なお、実施例では第１折丁２４、第２折丁２６、第３折丁２８、第４折丁３０の４つの折丁を綴じるようにしたが、折丁の数は４つに限定されるものでないことは勿論である。
また、実施例では背表紙１６を有する立ち読み防止機能付き本１０，４０を示したが、背表紙１６が無く表表紙１２と裏表紙１４とからなる本でもよいことは勿論である。
なお、第１実施例では貼付シート体としての厚紙で形成された貼付紙３２を示したが、貼付シート体は紙以外の素材で形成してもよいことは勿論である。
また、第１実施例では第１折丁２４と第２折丁２６の間に貼付紙３２を配設したが、貼付紙３２の配設位置は第１折丁２４と第２折丁２６の間に限定されるものでないことは勿論である。
【０００９】
【考案の効果】
本考案の立ち読み防止機能付本は、破断線を切ってカバー片を切らないとほとんどの折丁の頁を読むことはできないので立ち読みを防止することができるという優れた効果を有する。
また、本考案の立ち読み防止機能付本は、従来のように製本された本をあらためて包装機にかけてビニールシートで包装したり、紐で本を結わいたりする必要がないので本の製造工程を少なくすることができるという優れた効果を有する。また、本考案の立ち読み防止機能付本は、側面の大部分はカバー片に覆われて日焼けしないので返品された場合に磨き作業の手間を大幅に少なくすることができるという優れた効果を有する。
さらに、本考案の立ち読み防止機能付本は、破断線が破断されていない場合は未読であることが一目瞭然でわかるので、新古本買取店や古本店等に買い取り目的で持ち込まれた本であるか否かを容易に知ることができ、社会問題化している書店等で万引きした本を新古本買取店や古本店等に転売して換金することを防止できるという優れた効果を有する。
【図面の簡単な説明】
【図１】第１実施例の立ち読み防止機能付本を綴じる前の斜視図である。
【図２】第１実施例の立ち読み防止機能付本を開いた状態の斜視図である。
【図３】第１実施例の立ち読み防止機能付本を綴じた状態の斜視図である。
【図４】第２実施例の立ち読み防止機能付本を綴じる前の斜視図である。
【符号の説明】
１０　　立ち読み防止機能付本
１２　　表表紙
１４　　裏表紙
１７　　第１折線
１８　　カバー片
２０　　ミシン目
２２　　接着部
２４　　第１折丁
２６　　第２折丁
２８　　第３折丁
３０　　第４折丁
３２　　貼付紙
３３　　第２折線
【図１】
0003096923.tif 000003
【図２】
0003096923.tif 000004
【図３】
0003096923.tif 000005
【図４】
0003096923.tif 000006